(57)【要約】【課題】特別な建築造作を伴うことなく、間接照明であるかのような空間演出を行うことができる薄型の照明器具を提供する。【解決手段】造営材の開口孔に埋め込み配設される照明器具１であって、器具本体１００と、器具本体１００に配置された発モジュール２００と、発光モジュール２００から出射した光が入射する拡散パネル３００とを備え、発光モジュール２００を発光させた場合、拡散パネル３００の中央部の発光輝度は、拡散パネル３００の周辺部の発光輝度よりも低い。【選択図】図５
2018190512.tif 000002
【特許請求の範囲】
【請求項１】
造営材の開口孔に埋め込み配設される照明器具であって、
器具本体と、
前記器具本体に配置された光源と、
前記光源から出射した光が入射する拡散パネルとを備え、
前記光源を発光させた場合、前記拡散パネルの中央部の発光輝度は、前記拡散パネルの周辺部の発光輝度よりも低い、
照明器具。
【請求項２】
前記光源は、前記器具本体の周辺部に寄せて配置されている、
請求項１に記載の照明器具。
【請求項３】
前記器具本体は、開口部及び底部を有する有底筒状であり、
前記光源は、前記底部に配置され、
前記拡散パネルの発光面は、前記開口部の開口面よりも前記光源側に後退した位置に配置されている、
請求項１又は２に記載の照明器具。
【請求項４】
前記拡散パネルの発光面は、前記天井の天井面よりも天井裏側に位置している、
請求項３に記載の照明器具。
【請求項５】
前記拡散パネルの光出射側に位置し、前記開口部の内周に沿って設けられた枠部を有し、
前記枠部の内面は、前記拡散パネルの側面よりも内側に位置する、
請求項３又は４に記載の照明器具。
【請求項６】
前記光源の発光面は、前記拡散パネルに対面している、
請求項５に記載の照明器具。
【請求項７】
前記枠部の内面の前記拡散パネル側の端縁は、前記光源の光軸よりも内側に位置する、
請求項６に記載の照明器具。
【請求項８】
前記枠部は、前記器具本体の一部である、
請求項５〜７のいずれか１項に記載の照明器具。
【請求項９】
前記光源は、環状に配置されている、
請求項１〜８のいずれか１項に記載の照明器具。
【請求項１０】
前記拡散パネルは、平板状である、
請求項１〜９のいずれか１項に記載の照明器具。
【発明の詳細な説明】
【技術分野】
【０００１】
本発明は、照明器具に関する。
【背景技術】
【０００２】
従来、間接光によって空間演出を行うことができる間接照明が知られている。間接照明は、例えば、蛍光ランプ等の光源を人の目に見えない箇所に設置して、壁面又は天井面に向けて光を照射して反射させることで得られた間接光を照明光として利用するものである（例えば特許文献１参照）。
【先行技術文献】
【特許文献】
【０００３】
【特許文献１】特開平５−８１９１３号公報
【発明の概要】
【発明が解決しようとする課題】
【０００４】
しかしながら、従来の間接照明は、蛍光ランプ等の光源を人の目に見えない箇所に設置するために、天井等の建築構造物を加工する必要である。つまり、間接照明用の特別な建築造作を伴うという課題がある。
【０００５】
そこで、特別な建築造作を行わずに、天井に埋め込み配設できる照明器具を用いて間接照明と同様の空間演出効果を得ることが検討されている。
【０００６】
この場合、照明器具内に、間接照明と同じ構造を設けることが考えられるが、このような構造を採用すると、照明器具の内部構造が複雑になるばかりか、外観構造も複雑になってしまい、外観がすっきりしなくなくなる。このため、間接照明とは感じられずに、照明器具であることがばれてしまうという課題がある。
【０００７】
また、従来の間接照明は、湾曲面等の反射面を必要とするため、照明器具内に間接照明と同じ構造を設ける場合には照明器具内に反射面に設ける必要がある。このため、照明器具が大型化して器具高さが高くなるという課題もある。
【０００８】
本発明は、このような課題を解決するためになされたものであり、特別な建築造作を伴うことなく、間接照明であるかのような空間演出を行うことができる薄型の照明器具を提供することを目的とする。
【課題を解決するための手段】
【０００９】
上記目的を達成するために、本発明に係る照明器具の一態様は、造営材の開口孔に埋め込み配設される照明器具であって、器具本体と、前記器具本体に配置された光源と、前記光源から出射した光が入射する拡散パネルとを備え、前記光源を発光させた場合、前記拡散パネルの中央部の発光輝度は、前記拡散パネルの周辺部の発光輝度よりも低い。
【発明の効果】
【００１０】
特別な建築造作を伴うことなく、間接照明であるかのような空間演出を行うことができる照明器具を実現できる。
【図面の簡単な説明】
【００１１】
【図１】実施の形態に係る照明器具の斜視図である。
【図２】拡散パネルを外した状態における実施の形態に係る照明器具の平面図である。
【図３】実施の形態に係る照明器具の断面図である。
【図４】実施の形態に係る照明器具の拡大断面図である。
【図５】実施の形態に係る照明器具の拡散パネルの発光面における輝度分布を示す図である。
【図６】実施の形態に係る照明器具を天井に設置した場合の明かりの雰囲気を示す図である。
【図７】変形例に係る照明器具の拡大断面図である。
【発明を実施するための形態】
【００１２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
各図は、模式図であり、必ずしも厳密に図示されたものではない。各図において、実質的に同一の構成に対しては同一の符号を付しており、重複する説明は省略又は簡略化される場合がある。
【００１４】
（実施の形態）
実施の形態に係る照明器具１について、図１〜図４を用いて説明する。図１は、実施の形態に係る照明器具１の斜視図である。図２は、拡散パネル３００を外した状態における同照明器具１の平面図である。図３は、同照明器具１の断面図である。図４は、同照明器具１の拡大断面図であり、図３の破線で囲まれる領域ＩＶの拡大図を示している。
【００１５】
照明器具１は、建築材に組み込まれた照明器具である。具体的には、照明器具１は、建物の天井等の造営材の開口孔に埋め込み配設される。図４に示すように、本実施の形態において、照明器具１は、天井２の開口孔２ａに埋め込み配設される天井埋込型照明器具の一種である。
【００１６】
このような照明器具１は、例えば、ホテルのロビー又は病院の待合室等の天井に設置されるが、一般住宅又は店舗等の建物の天井に設置されていてもよい。なお、照明器具１は、天井２に限らず、壁等の天井以外の造営材に設置されてもよい。
【００１７】
図１〜図４に示すように、照明器具１は、内照式の天井埋込型照明器具であって、器具本体１００と、器具本体１００に配置された発光モジュール２００と、発光モジュール２００から出射した光が入射する拡散パネル３００と、取付補助体４００とを備える。以下、照明器具１の各構成部材について、図１〜図４を参照しながら説明する。
【００１８】
［器具本体］
図３及び図４に示すように、器具本体１００は、発光モジュール２００及び拡散パネル３００を収容する筐体である。具体的には、器具本体１００は、開口部１００ａ及び底部１００ｂを有する扁平状かつ有底筒状の筐体である。発光モジュール２００及び拡散パネル３００は、器具本体１００に保持されている。
【００１９】
本実施の形態において、器具本体１００は、筒体１１０と、底板１２０と、基台１３０とを有する。筒体１１０、底板１２０及び基台１３０は、分離可能な別部品として構成されている。
【００２０】
筒体１１０は、器具本体１００の胴体部をなす扁平状の略筒状部材であり、第１開口部として前方開口部（つまり器具本体１００の開口部１００ａ）を有するとともに第２開口部として後方開口部を有する略筒状部材である。筒体１１０は、例えば、断面形状が略Ｌ字状の略円筒形状であり、光を遮光する遮光性材料又は光を透過しない非透光性材料によって構成されている。例えば、筒体１１０は、アルミニウムや鉄等の金属材料又は硬質の樹脂材料によって構成されている。
【００２１】
なお、筒体１１０の側壁部の内面は、光反射面であるとよい。この場合、筒体１１０の表面を金属表面にすることで光反射性を持たせることもできるが、筒体１１０の側壁部の内面に白色塗料を塗膜する等して光反射膜を形成することで、筒体１１０の側壁部の内面の光反射性をさらに高くすることもできる。このように、筒体１１０の側壁部の内面を光反射面にすることによって拡散パネル３００の周辺部に入射する光束を高くできるので、拡散パネル３００の周辺部での発光輝度を容易に高くすることができる。
【００２２】
筒体１１０は、光源支持部１１１と、枠部１１２と、フランジ部１１３とを有する。光源支持部１１１、枠部１１２及びフランジ部１１３は、器具本体１００の一部であり、本実施の形態では、筒体１１０として一体に構成されている。
【００２３】
光源支持部１１１は、筒体１１０において発光モジュール２００を支持する部分である。本実施の形態において、光源支持部１１１は、筒体１１０の円環状の底部であって、器具本体１００の底部１００ｂの一部を構成している。光源支持部１１１の拡散パネル３００側には、基台１３０を介して発光モジュール２００が配置されている。
【００２４】
枠部１１２は、拡散パネル３００の光出射側に位置し、器具本体１００の開口部１００ａの内周に沿って設けられている。したがって、枠部１１２は、外部に露出する部分であって、ユーザが視認することができる。具体的には、枠部１１２は、筒体１１０のうち拡散パネル３００よりも下方側（つまり床側）の部分である。
【００２５】
また、枠部１１２の一部は、拡散パネル３００の端縁全周を覆っている。つまり、枠部１１２の内面の少なくとも一部は、拡散パネル３００の側面よりも内側に位置している。このように、枠部１１２が拡散パネル３００の端縁全周を覆っているので、枠部１１２の内面の拡散パネル３００側の端縁は、拡散パネル３００の光出射領域を規定することになる。本実施の形態において、枠部１１２の内面の拡散パネル３００側の端縁によって構成される枠部１１２の開口径φ１は、例えば約８００ｍｍである。この場合、器具本体１００（筒体１１０）の直径φ２は、例えば、約９００ｍｍである。
【００２６】
枠部１１２は、天井２の開口孔２ａに対応する位置に配置されている。つまり、枠部１１２は、開口孔２ａの内側に位置している。したがって、枠部１１２の内面は、天井２の天井面２ｂからの立ち上がり部分として機能する。つまり、枠部１１２の内面を、天井面２ｂから連続する部分として機能させることができる。これにより、ユーザが天井２を見上げて照明器具１を見たときに、枠部１１２を、天井２を建築造作したかのような建築構造体の一部として認識させることができる。
【００２７】
フランジ部１１３は、器具本体１００の開口部１００ａ（筒体１１０の第１開口部）の開口端縁に設けられている。フランジ部１１３は、外方に突出するように鍔状に設けられている。本実施の形態において、フランジ部１１３は、薄板状かつリング状に形成されている。フランジ部１１３は、枠部１１２の先端部から連続して形成されている。
【００２８】
図４に示すように、フランジ部１１３は、取付補助体４００のフランジ部４１０を覆うようにして天井２の天井面２ｂに配置される。具体的には、フランジ部１１３は、取付補助体４００のフランジ部４１０を介して、天井２の開口孔２ａの天井面２ｂ側の端縁に係止される。
【００２９】
このように構成される筒体１１０の色は、白色、黒色及び有色のいずれでもよいが、少なくとも外部に露出する枠部１１２及びフランジ部１１３は、天井２に馴染むように天井面２ｂと同一系統の色であるとよい。例えば、天井面２ｂが白色系である場合、枠部１１２及びフランジ部１１３を含めて筒体１１０の全体の色を白色系にするとよい。これにより、枠部１１２を天井２の一部として認識させやすくでき、枠部１１２を天井２と同化させて枠部１１２の内周面を天井２と一体的に感じさせることができる。
【００３０】
また、フランジ部１１３を目立たなくするためには、フランジ部１１３の幅Ｗは、できるだけ狭い方がよい。フランジ部１１３の幅Ｗは、例えば、１５ｍｍ程度である。
【００３１】
底板１２０は、薄板状の円板である。底板１２０は、器具本体１００の底部１００ｂを構成しており、筒体１１０の第２開口部（底孔部）を塞ぐように配置される。底板１２０は、光反射板であるとよい。これにより、発光モジュール２００から出射した光のうち拡散パネル３００を透過せずに戻ってくる光を底板１２０で反射させて、拡散パネル３００に再入射させることができる。この結果、光の取り出し効率を向上させることができるとともに、光の多重反射によって拡散パネル３００における発光輝度の輝度分布を滑らかにすることができる。
【００３２】
底板１２０は、例えば、アルミニウム板や鋼板等の金属平板又は硬質の樹脂材料からなる樹脂平板によって構成されている。なお、底板１２０の光反射性を高めるために、底板１２０の表面には、白色塗料が塗膜されていてもよいし、高い光反射性を有する金属材料が蒸着されていてもよい。また、底板１２０として、白色樹脂シートを用いてもよい。
【００３３】
基台１３０は、発光モジュール２００を支持するとともに発光モジュール２００の位置を規制する。基台１３０は、筒体１１０の光源支持部１１１に固定されている。基台１３０は、光源支持部１１１と略同一幅の円環状の板部材である。
【００３４】
基台１３０は、発光モジュール２００で発生する熱を効率良く放熱するために、アルミニウム等の金属材料によって構成されているとよいが、樹脂材料によって構成されていてもよい。
【００３５】
［発光モジュール］
発光モジュール２００は、照明器具１の光源であり、例えば白色光を発する。本実施の形態において、発光モジュール２００は、ＬＥＤによって構成されたＬＥＤモジュールである。なお、発光モジュール２００の発光色は、白色光に限るものではない。
【００３６】
図３及び図４に示すように、発光モジュール２００は、器具本体１００の底部１００ｂに配置される。具体的には、発光モジュール２００は、筒体１１０の環状の光源支持部１１１に配置されている。したがって、図２に示すように、発光モジュール２００は、環状に配置されている。具体的には、発光モジュール２００は、器具本体１００の中心を中心として円環状に配置されている。
【００３７】
図２〜図４に示すように、本実施の形態において、発光モジュール２００は、第１発光モジュール２１０と、第２発光モジュール２２０の２つによって構成されている。第１発光モジュール２１０及び第２発光モジュール２２０は、同心円環状に並んで配置されている。具体的には、第１発光モジュール２１０は、第２発光モジュール２２０の内側に配置されている。つまり、第２発光モジュール２２０は、第１発光モジュール２１０の外側に配置されている。
【００３８】
第１発光モジュール２１０は、複数（本実施の形態では７つ）用いられている。各第１発光モジュール２１０は円弧状であり、複数の第１発光モジュール２１０を周方向に配置することで、全体として円環状になっている。また、第２発光モジュール２２０は、１つの円環状である。なお、第１発光モジュール２１０は、複数に限らず、１つであってもよい。またに、第２発光モジュール２２０は、１つに限らず、複数であってもよい。
【００３９】
第１発光モジュール２１０は、第１基板２１１と、第１基板２１１に配置された第１発光素子２１２とを有する。同様に、第２発光モジュール２２０は、第２基板２２１と、第２基板２２１に配置された第２発光素子２２２とを有する。
【００４０】
第１基板２１１及び第２基板２２１は、例えば、樹脂基板、セラミック基板、又は、メタルベース基板等である。第１基板２１１及び第２基板２２１は、リジッド基板に限るものではなく、フレキシブル基板又はフィルム基板であってもよい。なお、本実施の形態において、第１基板２１１は複数であり、各第１基板２１１は同一幅の円弧状に形成されている。また、第２基板２２１は、同一幅の円環状に形成されている。
【００４１】
第１基板２１１には、複数の第１発光素子２１２が配置されている。複数の第１発光素子２１２は、第１基板２１１の長手方向に沿って線状に一列に配置されている。本実施の形態において、複数の第１発光素子２１２は、円弧状に一列で配列されている。
【００４２】
同様に、第２基板２２１には、複数の第２発光素子２２２が配置されている。複数の第２発光素子２２２は、第２基板２２１の長手方向に沿って線状に一列に配置されている。本実施の形態において、複数の第２発光素子２２２は、円環状に一列で配列されている。
【００４３】
第１発光素子２１２及び第２発光素子２２２は、ＬＥＤによって構成されたＬＥＤ光源である。具体的には、第１発光素子２１２及び第２発光素子２２２は、ＬＥＤチップがパッケージ化されたＳＭＤ型ＬＥＤ素子であり、凹部を有する樹脂製又はセラミック製の白色の容器と、容器の凹部の底面に一次実装された１つ以上のＬＥＤチップと、容器の凹部内に封入された封止部材とを有する。封止部材は、例えばシリコーン樹脂等の透光性樹脂材料で構成されている。封止部材は、蛍光体等の波長変換材が含有された蛍光体含有樹脂であってもよい。
【００４４】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００４５】
このように、本実施の形態における第１発光素子２１２及び第２発光素子２２２は、青色ＬＥＤチップと黄色蛍光体とによって構成された白色ＬＥＤ光源である。具体的には、黄色蛍光体は青色ＬＥＤチップが発した青色光の一部を吸収して励起されて黄色光を放出し、この黄色光と黄色蛍光体に吸収されなかった青色光とが混ざって白色光となる。なお、封止部材には、黄色蛍光体だけに限らず、赤色蛍光体及び緑色蛍光体が含まれていてもよい。
【００４６】
このように構成される発光モジュール２００は、器具本体１００の周辺部に寄せて配置されている。本実施の形態において、発光モジュール２００は、器具本体１００の側壁部に隣接して配置されている。
【００４７】
具体的には、発光モジュール２００は、器具本体１００の中心から発光モジュール２００の発光中心（本実施の形態では、第１発光モジュール２１０と第２発光モジュール２２０の間の中心）までの距離が器具本体１００の直径φ２に対して０．９以上１．０未満となる位置に配置されている。本実施の形態では、器具本体１００の直径φ２が約９００ｍｍであり、発光モジュール２００は、発光モジュール２００の発光中心が器具本体１００の中心から４２５ｍｍの位置（器具本体１００の直径φ２に対して約０．９４の位置）となるように配置されている。
【００４８】
また、本実施の形態において、発光モジュール２００の発光面は、拡散パネル３００に対面している。つまり、第１発光モジュール２１０及び第２発光モジュール２２０は、いずれも発光面が拡散パネル３００に対面している。具体的には、第１発光モジュール２１０の第１発光素子２１２及び第２発光モジュール２２０の第２発光素子２２２の各々の光出射面が拡散パネル３００の光入射面に対面している。
【００４９】
これにより、発光モジュール２００から出射した光（つまり、第１発光素子２１２及び第２発光素子２２２から出射した光）を拡散パネル３００に直接入射させることができる。つまり、発光モジュール２００の直接光の多くが拡散パネル３００に入射することになる。
【００５０】
［拡散パネル］
図１及び図３に示される拡散パネル３００は、透光性及び光拡散性を有する光学部材である。拡散パネル３００は、例えば、アクリルやポリカーボネート等の透光性樹脂材料又はガラス材料等をベースにして形成される。一例として、拡散パネル３００は、光拡散材（光散乱材）が樹脂材料内部に分散された乳白色の拡散板である。このような拡散パネル３００は、例えば、光拡散材を混合した透光性樹脂材料を所定形状に樹脂成型することによって作製することができる。
【００５１】
具体的には、拡散パネル３００は、全光線透過率が４０％〜７０％のものを用いることができる。本実施の形態では、拡散パネル３００として、全光線透過率が６０％のものを用いた。
【００５２】
なお、拡散パネル３００は、内部に光拡散材を分散させるのではなく、透明パネルの表面（内面又は外面）に光拡散材等を含む乳白色の光拡散膜を形成することによって構成されていてもよい。また、拡散パネル３００は、光拡散材を用いるのではなく、拡散加工を施すことによって拡散性を有するように構成されていてもよい。例えば、シボ加工又はレーザ加工等の表面処理を施すことによって透明パネルの表面に微小凹凸（シボ、マイクロプリズム等）を形成したり、透明パネルの表面にドットパターンを印刷したりすることによって、光拡散性を有するように構成してもよい。
【００５３】
本実施の形態において、拡散パネル３００は、平板状のフラットパネルである。具体的には、拡散パネル３００は、板厚が一定の円板である。拡散パネル３００の厚みは、例えば、２ｍｍ〜５ｍｍである。本実施の形態では、拡散パネル３００として、厚みが２ｍｍで、直径が８６０ｍｍの円板状の乳白のアクリル板を用いた。なお、拡散パネル３００は、平板状に限らず、発光モジュール２００側に膨出する（つまり奥側に凹んだ）ドーム状であってもよい。
【００５４】
このように拡散パネル３００を用いることで、拡散パネル３００に入射した光は、拡散パネル３００によって拡散されながら拡散パネル３００内を透過して拡散パネル３００から出射する。つまり、拡散パネル３００は、発光モジュール２００の光を拡散させて疑似発光する面発光部として機能する。
【００５５】
図３及び図４に示すように、拡散パネル３００は、発光モジュール２００の光出射側に配置されている。具体的には、拡散パネル３００は、発光モジュール２００を覆うように配置されている。本実施の形態において、拡散パネル３００は、拡散カバーであり、器具本体１００の筒体１１０を塞ぐように筒体１１０に固定されている。この場合、拡散パネル３００の中心を器具本体１００の中心と一致させて、拡散パネル３００を筒体１１０に保持させている。
【００５６】
光出射面である拡散パネル３００の発光面は、器具本体１００の開口部１００ａの開口面よりも発光モジュール２００側に後退した位置に配置されている。本実施の形態において、拡散パネル３００の発光面は、天井２の天井面２ｂよりも天井裏側に位置している。器具本体１００の開口部１００ａの開口面から拡散パネル３００の光出射面までの距離Ｄ１（つまり、拡散パネル３００の開口部１００ａの開口面からの後退量）は、例えば、３０ｍｍ〜５０ｍｍである。つまり、器具本体１００の枠部１１２の高さも３０ｍｍ〜５０ｍｍとなる。距離Ｄ１を３０ｍｍ〜５０ｍｍにすることで、枠部１１２の内面が、間接照明用途で天井２を加工した際の建築構造体（例えば天井）の立ち上がり部分として感じやすくなる。
【００５７】
［取付補助体］
取付補助体４００は、器具本体１００を天井２に取り付けるための補助部材である。器具本体１００は、取付補助体４００に収納される。また、器具本体１００は、取付補助体４００に固定される。本実施の形態において、取付補助体４００は、有底円筒形状の筐体である。取付補助体４００は、例えば、アルミニウム又は鉄を主成分とする金属材料を用いて形成される。
【００５８】
本実施の形態において、取付補助体４００は、照明器具１の外郭を構成する外郭部材である。したがって、取付補助体４００の外面は、天井２の天井裏に露出している。本実施の形態において、取付補助体４００の高さは、照明器具１の器具高さとなっている。具体的には、取付補助体４００の天井面２ｂから取付補助体４００の底部の外面までの長さＤ２は、３００ｍｍ以下であり、例えば、２００ｍｍである。
【００５９】
図４に示すように、取付補助体４００の開口部には鍔状のフランジ部４１０が形成されている。取付補助体４００は、取付補助体４００の本体部を天井２の開口孔２ａに嵌め込むことで天井２に取り付けられる。このとき、フランジ部４１０を天井面２ｂに係止させて取付補助体４００を開口孔２ａに嵌め込む。天井２に取付補助体４００を取り付けた後は、発光モジュール２００及び拡散パネル３００が取り付けられた器具本体１００を取付補助体４００に固定する。これにより、照明器具１の天井２の開口孔２ａへの埋め込み配設が完了する。
【００６０】
取付補助体４００の底部と器具本体１００の底部１００ｂとの間には、空間領域が設けられている。図示しないが、この空間領域には、発光モジュール２００を発光させるための電力を生成する電源装置（電源回路）が配置されていてもよい。電源装置は、例えば、端子台を通じて商用電源からの交流電力を受電し、受電した交流電力を直流電力に変換する。電源装置で生成された直流電力は、リード線等を介して発光モジュール２００に供給される。これにより、発光モジュール２００が発光する。
【００６１】
なお、電源装置は、照明器具１に内蔵されていてもよいし、照明器具１に内蔵されておらず、照明器具１の外部に別途配置されていてもよい。
【００６２】
［作用効果］
次に、実施の形態に係る照明器具１の作用効果について、図５及び図６を用いて説明する。図５は、実施の形態に係る照明器具１の拡散パネル３００の発光面における輝度分布を示す図である。図６は、同照明器具１を天井２に設置した場合の明かりの雰囲気を示す図である。
【００６３】
照明器具１では、発光モジュール２００を発光させた場合に、拡散パネル３００の発光輝度は、図５に示すような分布を示す。つまり、拡散パネル３００の中央部の発光輝度が拡散パネル３００の周辺部の発光輝度よりも低くなっている。
【００６４】
例えば、図５に示すように、拡散パネル３００の中心を基準（図５の位置が０の箇所）に拡散パネル３００の直径の１／２未満の領域を拡散パネル３００の中央部（内周部）とし、拡散パネル３００の中心を基準に拡散パネル３００の直径の１／２以上の領域を拡散パネル３００の周辺部（外周部）とすると、拡散パネル３００の発光輝度は、周辺部よりも中央部の方が低くなっている。これにより、図６に示すように、器具本体１００の枠部１１２の周辺部分を明るく感じさせることができ、従来の間接照明のような空間演出を行うことができる。
【００６５】
また、本実施の形態では、図５に示すように、拡散パネル３００の発光輝度は、拡散パネル３００の外周端部をピークにして、拡散パネル３００の中心に向かうにつれてグラデーション状に低下している。具体的には、拡散パネル３００の周辺部では、発光輝度が拡散パネル３００の中心に近づくほど低くなっている。さらに、拡散パネル３００の周辺部内においても、拡散パネル３００の中心に近づくにつれて、拡散パネル３００の周辺部中央あたりから急激に発光輝度が低くなっている。一方、発光輝度が低い拡散パネル３００の中央部においては、発光輝度はほぼ変化していない。
【００６６】
拡散パネル３００の発光面の発光輝度を図５に示すような輝度分布にすることで、従来の間接照明のような柔らかい間接光による照明演出効果を得ることができる。
【００６７】
なお、本実施の形態では、拡散パネル３００の外縁から中心にかけて発光輝度のグラデーションが連続的かつ自然となるように、発光モジュール２００の配置と配光を調節している。これにより、より自然な間接照明の明かりの雰囲気を実現することができる。
【００６８】
このように、拡散パネル３００の発光輝度を図５に示すように中央部よりも周辺部を高くして中央部の発光輝度を周辺部の発光輝度よりも低くすることで、図６に示すように、拡散パネル３００を備える照明器具１でありながらも、照明器具１であることに気付かれることなく（つまり、拡散パネル３００の存在を感じさせることなく）、従来の間接照明のような空間演出を疑似的に行うことができる。
【００６９】
以上説明したように、本実施の形態における照明器具１は、天井２の開口孔２ａに埋め込み配設されるものであり、器具本体１００と、器具本体１００に配置された発光モジュール２００と、発光モジュール２００から出射した光が入射する拡散パネル３００とを備えている。そして、発光モジュール２００の発光時において、拡散パネル３００の中央部の発光輝度が拡散パネル３００の周辺部の発光輝度よりも低くなっている。
【００７０】
これにより、特別な建築造作を伴うことなく、間接照明であるかのような空間演出を行うことができる薄型の照明器具を実現できる。
【００７１】
つまり、従来の間接照明では、天井等の建築構造物を加工する等の特別な建築造作が必要であり、しかも、天井裏には天井面から３００ｍｍ〜５００ｍｍ程度の空間領域を確保しなければならなかった。
【００７２】
これに対して、本実施の形態における照明器具１では、一般的な照明器具と同様に、電気工事のみで簡単に天井２の開口孔２ａに取り付けることができるので、天井２を加工する等の特別な建築造作が不要であり、省施工かつ安価に間接照明のような空間演出を行うことができる。しかも、拡散パネル３００の輝度分布のみで間接光のような照明光を実現できるので、照明器具１の内部構造が複雑化せず、薄型の照明器具１を実現できる。このため、照明器具１の天井裏の設置スペースとしては、天井面２ｂから１００ｍｍ程度の空間領域で十分である。
【００７３】
さらに、本実施の形態における照明器具１によれば、内部構造が複雑化しないので外観をシンプルにすることができ、意匠性に優れた照明器具を実現できる。また、従来の間接照明と比べて効率良く照明光を取り出すことができ、間接光のような照明光でありながら、照度を高くすることができる。このため、病院又はホテル等のように天井高の空間であっても、間接照明のような空間演出を簡単に実現することができる。
【００７４】
また、本実施の形態における照明器具１において、発光モジュール２００は、器具本体１００の周辺部に寄せて配置されている。
【００７５】
これにより、図５に示すように、拡散パネル３００の中央部の発光輝度が拡散パネル３００の周辺部の発光輝度よりも低くなるような輝度分布を拡散パネル３００のみで容易に実現することが可能である。
【００７６】
また、本実施の形態における照明器具１において、器具本体１００は、開口部１００ａ及び底部１００ｂを有する有底筒状であり、発光モジュール２００は、底部１００ｂに配置されている。そして、拡散パネル３００の発光面は、開口部１００ａの開口面よりも発光モジュール２００側に後退した位置に配置されている。
【００７７】
このように、拡散パネル３００を開口部１００ａの開口面から後退させることで、開口部１００ａの内面を天井面２ｂから連続する天井２の立ち上がり部分として感じさせることができる。その結果、拡散パネル３００の存在を一層感じさせにくくできる。つまり、照明器具１の存在を一層気付かれにくくできる。
【００７８】
さらに、本実施の形態における照明器具１では、拡散パネル３００の発光面は、天井２の天井面２ｂよりも天井裏側に位置している。
【００７９】
このように、拡散パネル３００を天井面２ｂから奥側に後退させることで、開口部１００ａの内面が天井２の立ち上がり部分であるとの印象をさらに深めることができる。これにより、拡散パネル３００の存在をより一層感じさせにくくできる。
【００８０】
また、本実施の形態における照明器具１では、拡散パネル３００の光出射側に位置し、開口部１００ａの内周に沿って設けられた枠部１１２が設けられている。そして、枠部１１２の内面は、拡散パネル３００の側面よりも内側に位置している。
【００８１】
これにより、枠部１１２の内面によって拡散パネル３００の光出射領域を規定することができるので、拡散パネル３００の外周縁付近の発光輝度を容易に高く設定することができる。したがって、間接照明のような明かりの雰囲気を容易に実現することができる。
【００８２】
また、本実施の形態における照明器具１において、発光モジュール２００の発光面は、拡散パネル３００に対面している。
【００８３】
これにより、発光モジュール２００の直接光の多くを拡散パネル３００に入射させることができるので、図５に示すような拡散パネル３００の輝度分布を容易に実現することができる。
【００８４】
また、本実施の形態における照明器具１において、枠部１１２は、器具本体１００の一部である。
【００８５】
これにより、枠部１１２と器具本体１００とを別体にする場合と比べて、部品間の隙間を無くすことができるので、光漏れ等による光の違和感を無くすことができる。したがって、さらに間接照明のような明かりの雰囲気に近づけることができる。
【００８６】
また、本実施の形態における照明器具１において、発光モジュール２００は、環状に配置されている。
【００８７】
これにより、図６に示すような環状の明かりを得ることができるので、より間接照明のような空間演出を行うことができる。
【００８８】
また、本実施の形態における照明器具１において、拡散パネル３００は、平板状である。
【００８９】
これにより、拡散パネル３００の存在をより気付きにくくすることができる。また、平板状の拡散パネル３００を用いることで、拡散パネル３００の輝度分布（グラデーション分布）の設計がしやすくなるので、滑らかな輝度分布の疑似発光面を容易に得ることができる。したがって、間接照明のような明かりの雰囲気にさらに近づけることができる。
【００９０】
（変形例）
以上、本発明に係る照明器具について、実施の形態に基づいて説明したが、本発明は、上記実施の形態に限定されるものではない。
【００９１】
例えば、上記実施の形態では、図４に示すように、枠部１１２の内面の拡散パネル３００側の端縁が発光モジュール２００の光軸よりも外側に位置していたが、これに限らない。具体的には、図７に示される照明器具１Ａのように、器具本体１００Ａの筒体１１０Ａの枠部１１２Ａを、枠部１１２Ａの内面の拡散パネル３００側の端縁が発光モジュール２００の光軸よりも内側に位置するような形状にしてもよい。さらに、図７では、枠部１１２Ａの内面の拡散パネル３００側の端縁は、内側の第１発光モジュール２１０の光軸Ｊよりも内側に位置している。このような構成にすることで、拡散パネル３００の外周縁付近の発光輝度を容易に最大にすることができるので、より間接照明のような明かりの雰囲気が得られる照明器具１Ａを実現できる。
【００９２】
また、上記実施の形態において、発光モジュール２００は、第１発光モジュール２１０と第２発光モジュール２２０との２つを２列で配置した構成としたが、これに限らない。例えば、発光モジュール２００は、１つのみの発光モジュール（例えば第１発光モジュール２１０及び第２発光モジュール２２０のうちの第１発光モジュール２１０のみ）を１列で配置した構成であってもよいし、３つ以上の発光モジュールを複数列で配置した構成であってもよい。
【００９３】
また、上記実施の形態において、照明器具１は、平面視形状の外形が円形である丸形の照明器具としたが、これに限らない。例えば、照明器具１は、平面視形状の外形が矩形であるスクエア形の照明器具であってもよい。また、照明器具１の平面視形状の外形は、円形又は矩形以外に、楕円形又は三角形等のその他の形状であってもよい。
【００９４】
また、上記実施の形態では、取付補助体４００を用いて器具本体１００を天井２に設置したが、取付補助体４００を用いることなく、器具本体１００を天井２に設置してもよい。例えば、器具本体１００を天井２の開口孔２ａに直接取り付けることで、器具本体１００を天井２に設置してもよいし、その他の部品を介して器具本体１００を天井２に設置してもよい。
【００９５】
また、上記実施の形態において、第１発光素子２１２及び第２発光素子２２２は、青色ＬＥＤチップと黄色蛍光体とによって白色光を放出するＢ−Ｙタイプの白色ＬＥＤ光源としたが、これに限らない。例えば、赤色蛍光体と緑色蛍光体とを用いて、これと青色ＬＥＤチップと組み合わせることによって白色光を放出するように構成してもよい。また、演色性を高める目的で、黄色蛍光体に加えて、さらに赤色蛍光体や緑色蛍光体を混ぜても構わない。また、青色以外の色を発光するＬＥＤチップを用いてもよく、例えば、紫外光を放出するＬＥＤチップを用いて、この紫外光を励起されて蛍光発光するＲＧＢ各色蛍光体（青色蛍光体、緑色蛍光体、赤色蛍光体）によって白色光を放出するように構成してもよい。また、蛍光体を用いずに、赤色光を発する赤色ＬＥＤチップ、緑色光を発する緑色ＬＥＤチップ及び青色光を発する青色ＬＥＤチップによって白色光を放出するように構成してもよい。
【００９６】
また、上記実施の形態において、第１発光素子２１２及び第２発光素子２２２は、白色ＬＥＤ光源のみとしたが、これに限るものではない。例えば、赤色光を発する赤色ＬＥＤ光源、緑色光を発する緑色ＬＥＤ光源及び青色光を発する青色ＬＥＤ光源を用いて、発光モジュール２００を構成してもよい。あるいは、赤色ＬＥＤ光源と緑色ＬＥＤ光源と青色ＬＥＤ光源と白色ＬＥＤ光源とを用いて発光モジュール２００を構成してもよい。このように光の三原色を発する光源を用いることで、ＲＧＢ制御による調色制御を行うことができる照明器具を実現できる。また、色温度の異なる複数の白色ＬＥＤ光源を用いて発光モジュール２００を構成してもよい。これにより、色温度を変えることができる照明器具を実現できる。
【００９７】
また、上記実施の形態において、第１発光素子２１２及び第２発光素子２２２は、ＬＥＤによって構成したが、これに限らない。例えば、第１発光素子２１２及び第２発光素子２２２は、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子を用いて構成されていてもよい。
【００９８】
なお、その他、各実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【００９９】
１、１Ａ  照明器具
２  天井
２ａ  開口孔
２ｂ  天井面
１００、１００Ａ  器具本体
１００ａ  開口部
１００ｂ  底部
１１０、１１０Ａ  筒体
１１２、１１２Ａ  枠部
２００  発光モジュール
３００  拡散パネル
【図１】
2018190512.tif 000003
【図２】
2018190512.tif 000004
【図３】
2018190512.tif 000005
【図４】
2018190512.tif 000006
【図５】
2018190512.tif 000007
【図６】
2018190512.tif 000008
【図７】
2018190512.tif 000009